(57)【特許請求の範囲】
【請求項１】
入力リアクトル(Lin)と、
前記入力リアクトルを介して交流電源(E1)に接続される第１整流器(11)と、
前記第１整流器が出力する直流電圧を昇圧する昇圧チョッパ回路(20)と、
前記昇圧チョッパ回路が出力する直流電圧が印加されるコンデンサ(C1)と、
第１直流線(LH1)、および、前記第１直流線よりも低い電位が印加される第２直流線(LL)を有する直流リンク（DCL）と、
前記コンデンサを前記直流リンクに放電／非放電するスイッチ(S1)と、
入力側において、前記入力リアクトルを介して前記交流電源に接続され、出力側において前記直流リンクに接続される第２整流器(12)と、
前記直流リンクを介して前記第２整流器に接続され、負荷に交流電圧を出力するインバータ(30)と
を備え、
前記第１整流器及び前記第２整流器によって、前記昇圧チョッパ回路の入力側が、前記第１直流線及び前記第２直流線のいずれか一方と非導通となる、電力変換装置。
【請求項２】
前記交流電源(E1)と前記第１整流器(11)とを接続し、前記入力リアクトルが設けられる第１入力線(ACL1)と、
前記交流電源と前記第１整流器とを接続する第２入力線(ACL2)と、
前記第１整流器と前記昇圧チョッパ回路(20)を接続する第３直流線(LH2)と、
前記第１直流線(LH1)側にカソードを有し、前記第１入力線と前記第１直流線との間に接続される第１ダイオード(D1)と、
前記第１直流線(LH1)側にカソードを有し、前記第２入力線と前記第１直流線との間に接続される第２ダイオード(D2)と、
前記第２直流線(LL)側にアノードを有し、前記第１入力線と前記第２直流線との間に接続される第３ダイオード(D3)と、
前記第２直流線(LL)側にアノードを有し、前記第２入力線と前記第２直流線との間に接続される第４ダイオード(D4)と、
前記第３直流線側にカソードを有し、前記第１入力線と前記第３直流線との間に接続される第５ダイオード(D5)と、
前記第３直流線側にカソードを有し、前記第２入力線と前記第３直流線との間に接続される第６ダイオード(D6)と
を備え、
前記第１から前記第４ダイオードは前記第２整流器(12)を形成し、
前記第３から前記第６ダイオードは前記第１整流器(11)を形成し、
前記昇圧チョッパ回路は、前記第１整流器が出力する、前記第２直流線と前記第３直流線との間の前記直流電圧を昇圧する、請求項１に記載の電力変換装置。
【請求項３】
前記交流電源(E1)と前記第１整流器(11)とを接続し、前記入力リアクトルが設けられる第１入力線(ACL1)と、
前記交流電源と前記第１整流器とを接続する第２入力線(ACL2)と、
前記第１整流器と前記昇圧チョッパ回路(20)を接続する第３直流線(LL2)と、
前記第３直流線側にアノードを有し、前記第１入力線と前記第３直流線との間に接続される第１ダイオード(D1)と、
前記第３直流線側にアノードを有し、前記第２入力線と前記第３直流線との間に接続される第２ダイオード(D2)と、
前記第２直流線(LL)側にアノードを有し、前記第１入力線と前記第２直流線との間に接続される第３ダイオード(D3)と、
前記第２直流線(LL)側にアノードを有し、前記第２入力線と前記第２直流線との間に接続される第４ダイオード(D4)と、
前記第１直流線(LH1)側にカソードを有し、前記第１入力線と前記第１直流線との間に接続される第５ダイオード(D5)と、
前記第１直流線(LH1)側にカソードを有し、前記第２入力線と前記第１直流線との間に接続される第６ダイオード(D6)と
を備え、
前記第１、前記第２、前記第５および前記第６ダイオードは前記第２整流器(12)を形成し、
前記第３から前記第６ダイオードは前記第１整流器(11)を形成し、
前記昇圧チョッパ回路は、前記第１整流器が出力する、前記第１直流線と前記第３直流線との間の前記直流電圧を昇圧する、請求項１に記載の電力変換装置。
【発明の詳細な説明】
【技術分野】
【０００１】
本発明は、電力変換装置に関する。
【背景技術】
【０００２】
図４は電力変換装置を示す図である。図４では、電力変換装置は、入力リアクトルＬｉｎと入力コンデンサＣｉｎと整流器１１，１２と昇圧チョッパ回路２０とスイッチ素子Ｓ１とコンデンサＣ１とインバータ３０とを有している。
【０００３】
整流器１２は、ダイオード全波整流器であり、入力リアクトルＬｉｎと入力コンデンサＣｉｎとから形成されるＬＣフィルタを介して、交流電源Ｅ１に接続されている。入力リアクトルＬｉｎは、整流器１２と交流電源Ｅ１とを繋ぐ入力線ＡＣＬ１，ＡＣＬ２のうち、入力線ＡＣＬ１の上に設けられる。入力コンデンサＣｉｎは入力線ＡＣＬ１，ＡＣＬ２の間に設けられる。
【０００４】
整流器１２は、その出力側において直流線ＬＨ１，ＬＬに接続される。整流器１２は、入力線ＡＣＬ１，ＡＣＬ２を介して入力される交流電圧を整流し、整流した直流電圧を直流線ＬＨ１，ＬＬの間に印加する。
【０００５】
直流線ＬＨ１，ＬＬの間には、スイッチ素子Ｓ１とコンデンサＣ１とが互いに直列に接続される。コンデンサＣ１はスイッチ素子Ｓ１よりも直流線ＬＬ側に位置する。
【０００６】
インバータ３０は、その入力側において直流線ＬＨ１，ＬＬに接続され、直流線ＬＨ１，ＬＬの間の直流電圧を交流電圧に変換して負荷Ｍ１に出力する。
【０００７】
整流器１１は、ダイオード全波整流器であり、入力リアクトルＬｉｎを介さずに、交流電源Ｅ１と接続される。整流器１１の出力側には昇圧チョッパ回路２０が設けられており、この昇圧チョッパ回路２０は整流器１１が出力する直流電圧を昇圧する。昇圧された直流電圧はコンデンサＣ１に印加される。
【０００８】
昇圧チョッパ回路２０は、リアクトルＬ２０と、スイッチ素子Ｓ２０と、ダイオードＤ２０とを有している。リアクトルＬ２０とスイッチ素子Ｓ２０とは、整流器１１の出力端の間において、互いに直列に接続されている。またリアクトルＬ２０は、例えばスイッチ素子Ｓ２０に対して、整流器１１の高電位の出力端側に設けられている。ダイオードＤ２０は、リアクトルＬ２０とスイッチ素子Ｓ２０とを接続する接続点と、コンデンサＣ１の高電位端との間に接続されており、コンデンサＣ１側にカソードを有している。
【０００９】
また本発明に関連する技術として、特許文献１〜４を掲示する。
【先行技術文献】
【特許文献】
【００１０】
【特許文献１】特許第５３８１９７０号公報
【特許文献２】特開２０１４−８２９２６号公報
【特許文献３】特開２０１４−９６９７６号公報
【特許文献４】特開２０１１−１９３６７８号公報
【発明の概要】
【発明が解決しようとする課題】
【００１１】
図４の電力変換装置においては、入力リアクトルＬｉｎを経由しない経路が存在する。この経路は、例えば入力リアクトルＬｉｎが設けられていない入力線ＡＣＬ２、整流器１２、直流線ＬＨ１、インバータ３０、直流線ＬＬ、整流器１１および入力線ＡＣＬ１を通る経路である。この経路を流れる電流のリプルは大きくなりやすい。
【００１２】
上述の点に鑑みて、本発明は、電流のリプルを低減できる直流電力変換装置を提供することを目的とする。
【課題を解決するための手段】
【００１３】
本発明にかかる電力変換装置の第１の態様は、入力リアクトル(Lin)と、前記入力リアクトルを介して交流電源(E1)に接続される第１整流器(11)と、前記第１整流器が出力する直流電圧を昇圧する昇圧チョッパ回路(20)と、前記昇圧チョッパ回路が出力する直流電圧が印加されるコンデンサ(C1)と、第１直流線(LH1)、および、前記第１直流線よりも低い電位が印加される第２直流線(LL)を有する直流リンク（DCL）と、前記コンデンサを前記直流リンクに放電／非放電するスイッチ(S1)と、入力側において、前記入力リアクトルを介して前記交流電源に接続され、出力側において前記直流リンクに接続される第２整流器(12)と、前記直流リンクを介して前記第２整流器に接続され、負荷に交流電圧を出力するインバータとを備え、前記第１整流器及び前記第２整流器によって、前記昇圧チョッパ回路の入力側が、前記第１直流線及び前記第２直流線のいずれか一方と非導通となる。
【００１４】
本発明にかかる電力変換装置の第２の態様は、第１の態様にかかる電力変換装置であって、前記交流電源(E1)と前記第１整流器(11)とを接続し、前記入力リアクトルが設けられる第１入力線(ACL1)と、前記交流電源と前記第１整流器とを接続する第２入力線(ACL2)と、前記第１整流器と前記昇圧チョッパ回路(20)を接続する第３直流線(LH2)と、前記第１直流線(LH1)側にカソードを有し、前記第１入力線と前記第１直流線との間に接続される第１ダイオード(D1)と、前記第１直流線(LH1)側にカソードを有し、前記第２入力線と前記第１直流線との間に接続される第２ダイオード(D2)と、前記第２直流線(LL)側にアノードを有し、前記第１入力線と前記第２直流線との間に接続される第３ダイオード(D3)と、前記第２直流線(LL)側にアノードを有し、前記第２入力線と前記第２直流線との間に接続される第４ダイオード(D4)と、前記第３直流線側にカソードを有し、前記第１入力線と前記第３直流線との間に接続される第５ダイオード(D5)と、前記第３直流線側にカソードを有し、前記第２入力線と前記第３直流線との間に接続される第６ダイオード(D6)とを備え、前記第１から前記第４ダイオードは前記第２整流器(12)を形成し、前記第３から前記第６ダイオードは前記第１整流器(11)を形成し、前記昇圧チョッパ回路は、前記第１整流器が出力する、前記第２直流線と前記第３直流線との間の前記直流電圧を昇圧する。
【００１５】
本発明にかかる電力変換装置の第３の態様は、第１の態様にかかる電力変換装置であって、前記交流電源(E1)と前記第１整流器(11)とを接続し、前記入力リアクトルが設けられる第１入力線(ACL1)と、前記交流電源と前記第１整流器とを接続する第２入力線(ACL2)と、前記第１整流器と前記昇圧チョッパ回路(20)を接続する第３直流線(LL2)と、前記第３直流線側にアノードを有し、前記第１入力線と前記第３直流線との間に接続される第１ダイオード(D1)と、前記第３直流線側にアノードを有し、前記第２入力線と前記第３直流線との間に接続される第２ダイオード(D2)と、前記第２直流線(LL)側にアノードを有し、前記第１入力線と前記第２直流線との間に接続される第３ダイオード(D3)と、前記第２直流線(LL)側にアノードを有し、前記第２入力線と前記第２直流線との間に接続される第４ダイオード(D4)と、前記第１直流線(LH1)側にカソードを有し、前記第１入力線と前記第１直流線との間に接続される第５ダイオード(D5)と、前記第１直流線(LH1)側にカソードを有し、前記第２入力線と前記第１直流線との間に接続される第６ダイオード(D6)とを備え、前記第１、前記第２、前記第５および前記第６ダイオードは前記第２整流器(12)を形成し、前記第３から前記第６ダイオードは前記第１整流器(11)を形成し、前記昇圧チョッパ回路は、前記第１整流器が出力する、前記第１直流線と前記第３直流線との間の前記直流電圧を昇圧する。
【発明の効果】
【００１６】
本発明にかかる電力変換装置の第１の態様によれば、第１整流器および第２整流器のいずれもが入力リアクトルを介して交流電源に接続されるので、交流電源からインバータへのいずれの経路においても入力リアクトルが介在する。よって、電流のリプルが抑制される。
【００１７】
本発明にかかる電力変換装置の第２の態様によれば、第３ダイオードおよび第４ダイオードが第１整流器の一部および第２整流器の一部として機能するので、これらを別々に設ける場合に比して、製造コストを低減できる。
【００１８】
本発明にかかる電力変換装置の第３の態様によれば、第１ダイオードおよび第２ダイオードが第１整流器の一部および第２整流器の一部として機能するので、これらを別々に設ける場合に比して、製造コストを低減できる。
【図面の簡単な説明】
【００１９】
【図１】電力変換装置の構成の一例を概略的に示す図である。
【図２】比較例に係る電力変換装置の構成の一例を概略的に示す図である。
【図３】電力変換装置の構成の一例を概略的に示す図である。
【図４】電力変換装置の構成の一例を概略的に示す図である。
【発明を実施するための形態】
【００２０】
図１は電力変換装置の一例を概略的に示す図である。電力変換装置は、整流器１１，１２と、昇圧チョッパ回路２０と、インバータ３０と、コンデンサＣ１と、スイッチ素子Ｓ１と、入力リアクトルＬｉｎとを備えている。
【００２１】
整流器１１は、複数の入力線ＡＣＬ１，ＡＣＬ２を介して交流電源Ｅ１に接続されている。整流器１１は、入力線ＡＣＬ１，ＡＣＬ２を介して入力される交流電圧を整流して、直流電圧を出力する。
【００２２】
入力リアクトルＬｉｎは入力線ＡＣＬ１の上に設けられている。よって整流器１１は入力リアクトルＬｉｎを介して交流電源Ｅ１に接続される。入力リアクトルＬｉｎは、入力線ＡＣＬ１，ＡＣＬ２を流れる入力電流のリプルを抑制する。
【００２３】
図１の例示では、入力線ＡＣＬ１，ＡＣＬ２の間には、入力コンデンサＣｉｎが接続されている。入力コンデンサＣｉｎは、入力リアクトルＬｉｎよりも整流器１１側に設けられている。このような入力コンデンサＣｉｎは入力リアクトルＬｉｎとともに、ＬＣフィルタを形成することができる。かかるＬＣフィルタは、入力線ＡＣＬ１，ＡＣＬ２を流れる電流のリプルをより効果的に抑制する。
【００２４】
図１の例示では、入力線ＡＣＬ２の上に入力リアクトルが設けられていないものの、入力線ＡＣＬ２の上にも入力リアクトルが設けられてもよい。
【００２５】
昇圧チョッパ回路２０は整流器１１が出力する直流電圧を昇圧する。図１の例示では、昇圧チョッパ回路２０は、直流線ＬＨ２，ＬＬを介して整流器１１の出力側に接続されている。整流器１１は直流線ＬＨ２，ＬＬの間に直流電圧を印加し、昇圧チョッパ回路２０はこの直流電圧を昇圧するのである。昇圧チョッパ回路２０の出力端はコンデンサＣ１の両端にそれぞれ接続されており、昇圧された直流電圧はコンデンサＣ１に印加されることとなる。なおここでは、直流線ＬＨ２に印加される電位は直流線ＬＬに印加される電位よりも高い。
【００２６】
例えば整流器１１は、ダイオード全波整流器であって、ダイオードＤ３〜Ｄ６によって形成される。ダイオードＤ３は入力線ＡＣＬ１と直流線ＬＬとの間に接続されており、直流線ＬＬ側にアノードを有する。ダイオードＤ４は入力線ＡＣＬ２と直流線ＬＬとの間に接続されており、直流線ＬＬ側にアノードを有する。ダイオードＤ５は入力線ＡＣＬ１と直流線ＬＨ２との間に接続されており、直流線ＬＨ２側にカソードを有する。ダイオードＤ６は入力線ＡＣＬ２と直流線ＬＨ２との間に接続されており、直流線ＬＨ２側にカソードを有する。
【００２７】
昇圧チョッパ回路２０は、例えば、リアクトルＬ２０と、ダイオードＤ２０と、スイッチ素子Ｓ２０とを備えている。リアクトルＬ２０とスイッチ素子Ｓ２０とは直流線ＬＨ２，ＬＬの間において、互いに直列に接続される。リアクトルＬ２０は、スイッチ素子Ｓ２０に対して直流線ＬＨ２側に設けられている。ダイオードＤ２０は、リアクトルＬ２０とスイッチ素子Ｓ２０との間の接続点と、コンデンサＣ１の高電位端との間に接続されている。ダイオードＤ２０は、コンデンサＣ１側にカソードを有している。コンデンサＣ１の低電位端は直流線ＬＬに接続されている。
【００２８】
スイッチ素子Ｓ２０がオンする期間では、直流線ＬＨ２から直流線ＬＬへと、リアクトルＬ２０およびスイッチ素子Ｓ２０を介して電流が流れる。これにより、リアクトルＬ２０には電磁エネルギーが蓄積される。
【００２９】
スイッチ素子Ｓ２０がオフする期間では、直流線ＬＨ２から直流線ＬＬへと、リアクトルＬ２０およびコンデンサＣ１を介して電流が流れる。よって、直流線ＬＨ２，ＬＬの間の直流電圧（整流器１１の出力電圧）と、リアクトルＬ２０の電圧とが加算された電圧がコンデンサＣ１に印加されることになる。つまり、昇圧された直流電圧がコンデンサＣ１に印加されることとなる。
【００３０】
図１に示すように、整流器１２も、入力リアクトルＬｉｎを介して交流電源Ｅ１に接続されている。整流器１２は、入力線ＡＣＬ１，ＡＣＬ２を介して入力される交流電圧を整流して、直流電圧を直流線ＬＨ１，ＬＬの間に印加する。なお直流線ＬＨ１に印加される電位は直流線ＬＬに印加される電位よりも高い。また直流線ＬＨ１と直流線ＬＨ２は異なる。直流線ＬＨ１，ＬＬによって直流リンクＤＣＬが形成される。
【００３１】
例えば整流器１２は、ダイオード全波整流器であって、ダイオードＤ１〜Ｄ４によって形成される。ダイオードＤ１は入力線ＡＣＬ１と直流線ＬＨ１との間に接続され、直流線ＬＨ１側にカソードを有する。ダイオードＤ２は入力線ＡＣＬ２と直流線ＬＨ１との間に接続され、直流線ＬＨ１側にカソードを有する。
【００３２】
図１の例示では、ダイオードＤ３，Ｄ４のいずれもが整流器１１の一部および整流器１２の一部として機能する。よって整流器１１専用のダイオードＤ３，Ｄ４と、整流器１２専用のダイオードＤ３，Ｄ４とを、別途に設ける場合に比べて、製造コストおよび回路規模を低減できる。
【００３３】
このような整流器１１，１２の構成及びリアクトルＬ２０との接続関係により、昇圧チョッパ回路２０の入力側は、互いに逆方向に接続されたダイオードＤ１，Ｄ５の直列接続及び互いに逆方向に接続されたダイオードＤ２，Ｄ６の直列接続によって、直流線ＬＨ１と非導通となっている。つまり直流線ＬＨ１と直流線ＬＨ２は異なっており、かつ互いに直接には接続されていない。
【００３４】
スイッチ素子Ｓ１とコンデンサＣ１とは直流線ＬＨ１，ＬＬの間において互いに直列に接続される。図１の例示では、スイッチ素子Ｓ１はコンデンサＣ１に対して直流線ＬＨ１側に設けられている。スイッチ素子Ｓ１は、コンデンサＣ１の直流リンクＤＣＬへの放電／非放電を選択する。スイッチ素子Ｓ１がオンすると、コンデンサＣ１が直流リンクＤＣＬへと放電し、スイッチ素子Ｓ１がオフすると、コンデンサＣ１から直流リンクＤＣＬへの放電が停止する。
【００３５】
図１の例示では、スイッチ素子Ｓ１は片方向導通のスイッチ素子（例えば絶縁ゲートバイポーラトランジスタ）であり、その順方向は直流線ＬＬから直流線ＬＨ１へと向かう方向である。そこで図１の例示では、スイッチ素子Ｓ１に逆並列にダイオードＤ１０が接続されている。つまりダイオードＤ１０は、そのアノードが直流線ＬＨ１側に向くように、配置されている。ダイオードＤ１０はスイッチ素子Ｓ１に生じる逆方向の電圧を抑制する。
【００３６】
インバータ３０は直流リンクＤＣＬ（直流線ＬＨ１，ＬＬ）を介して整流器１２に接続されている。インバータ３０は、直流線ＬＨ１，ＬＬの間の直流電圧を交流電圧に変換して、負荷Ｍ１へと出力する。
【００３７】
インバータ３０は例えば三相の電圧形インバータであって、スイッチ素子Ｓｕ１，Ｓｖ１，Ｓｗ１，Ｓｕ２，Ｓｖ２，Ｓｗ２と、ダイオードＤｕ１，Ｄｖ１，Ｄｗ１，Ｄｕ２，Ｄｖ２，Ｄｗ２とを備えている。スイッチ素子Ｓｘ１，Ｓｘ２（ｘはｕ，ｖ，ｗを代表する。以下同様）は、直流線ＬＨ１，ＬＬの間において互いに直列に接続されている。ダイオードＤｘ１，Ｄｘ２は直流線ＬＬ側にアノードを有し、それぞれスイッチ素子Ｓｘ１，Ｓｘ２と並列に接続されている。
【００３８】
スイッチ素子Ｓｘ１，Ｓｘ２を接続する接続点は、インバータ３０の出力端として機能し、当該出力端が負荷Ｍ１に接続される。
【００３９】
負荷Ｍ１は例えばモータであって、入力された交流電圧に応じて回転する。
【００４０】
かかる電力変換装置において、スイッチ素子Ｓ１，Ｓ２０およびインバータ３０は制御部４０によって制御される。これらを制御する方法は公知であって、例えば特許文献１〜４の制御を利用できる。
【００４１】
本電力変換装置によれば、昇圧チョッパ回路２０に入力される直流線ＬＨ２が直流線ＬＨ１と異なっている。これにより、スイッチＳ１のオン／オフの状態によらず、昇圧チョッパ回路２０の昇圧機能を発揮させることができる。これをより詳細に説明すべく、整流器１１，１２を一つ整流器１１で構成し、直流線ＬＨ１，ＬＨ２を一つの直流線ＬＨ１で共通にした構造を考慮する。この構造は、ダイオードＤ１，Ｄ２が省略され、直流線ＬＨ１，ＬＨ２が互いに直接に接続された構成で実現できる。直流線ＬＨ１と、直流線ＬＬとの間に、整流器１１が整流電圧を出力する。リアクトルＬ２０は直流線ＬＨ１も接続されるので、スイッチＳ１をオンしたときに、リアクトルＬ２０がスイッチＳ１を介してダイオードＤ２０と短絡する。このとき、リアクトルＬ２０の電圧をコンデンサＣ１に印加できないので、昇圧チョッパ回路２０の昇圧機能を発揮できない。しかるに本電力変換装置によれば、スイッチＳ１がオンした状態であっても、スイッチＳ２０がオフしたときにリアクトルＬ２０の電圧をコンデンサＣ１に印加できるので、昇圧機能を維持することができる。
【００４２】
本電力変換装置によれば、交流電源Ｅ１から負荷Ｍ１への経路のいずれにも、入力リアクトルＬｉｎが介在する。したがって、電流のリプルが抑制される。
【００４３】
比較例としての電力変換装置を図２に示す。図２では、整流器１２は、ダイオードＤ１，Ｄ２，Ｄ７，Ｄ８によって形成されている。ダイオードＤ７は入力線ＡＣＬ１と直流線ＬＬとの間に設けられ、直流線ＬＬ側にアノードを有している。ダイオードＤ８は入力線ＡＣＬ２と直流線ＬＬとの間に設けられ、直流線ＬＬ側にアノードを有している。
【００４４】
また図２では、整流器１１はＬＣフィルタを介さずに、交流電源Ｅ１に接続されている。即ち、整流器１１の入力端の一つ（図２では、ダイオードＤ３，Ｄ５を接続する接続点）は、入力リアクトルＬｉｎに対して交流電源Ｅ１側で、入力線ＡＣＬ１に接続されている。
【００４５】
図２の昇圧チョッパ回路２０は図１と比較してリアクトルＬ２１とダイオードＤ２１とを更に備えている。リアクトルＬ２１は、整流器１１の出力線たる直流線ＬＨ２，ＬＬ２の間において、リアクトルＬ２０およびスイッチ素子Ｓ２０と直列に接続されている。リアクトルＬ２１はスイッチ素子Ｓ２０に対してリアクトルＬ２０とは反対側に位置する。ダイオードＤ２１は、スイッチ素子Ｓ２０およびリアクトルＬ２１を接続する接続点と、直流線ＬＬとの間に接続されており、直流線ＬＬ側にアノードを有している。
【００４６】
比較例にかかる電力変換装置によれば、交流電源Ｅ１とインバータ３０との経路のいずれにも、入力リアクトルＬｉｎおよびリアクトルＬ２１の少なくともいずれか一方が介在する。よって比較例においても、電流のリプルを低減できる。しかしながら、比較例にかかる電力変換装置では、リアクトルＬ２１が必要となり、製造コストが高い。またリアクトルＬ２１やダイオードＤ２１において導通損失も発生する。
【００４７】
一方で、本実施の形態にかかる電力変換装置によれば、リアクトルＬ２１を用いる必要がない。よってリアクトルＬ２１を用いない場合には、製造コストを低減でき、また損失を低減できる。
【００４８】
図３は本実施の形態にかかる電力変換装置の他の一例である。この電力変換装置は、コンデンサＣ１とスイッチ素子Ｓ１の順序、整流器１２の内部構成、昇圧チョッパ回路２０の内部構成、および、直流線ＬＨ２，ＬＬ２の有無の点で、図１と相違する。
【００４９】
図３の例示では、コンデンサＣ１はスイッチ素子Ｓ１よりも直流線ＬＨ１側に位置している。
【００５０】
また直流線ＬＨ２は設けられず、直流線ＬＬ２が設けられており、整流器１１は直流線ＬＨ１，ＬＬ２の間に直流電圧を出力する。直流線ＬＬ２は直流線ＬＬと異なる。この整流器１１はダイオードＤ３〜Ｄ６によって形成されている。ダイオードＤ５は直流線ＬＨ１と入力線ＡＣＬ１との間に設けられ、直流線ＬＨ１側にカソードを有する。ダイオードＤ６は直流線ＬＨ１と入力線ＡＣＬ２との間に設けられ、直流線ＬＨ１側にカソードを有する。ダイオードＤ３は直流線ＬＬ２と入力線ＡＣＬ１との間に設けられ、直流線ＬＬ２側にアノードを有する。ダイオードＤ４は直流線ＬＬ２と入力線ＡＣＬ２との間に設けられ、直流線ＬＬ２側にアノードを有する。
【００５１】
直流線ＬＨ１，ＬＬ２の間の直流電圧は昇圧チョッパ回路２０に入力され、昇圧チョッパ回路２０はこれを昇圧してコンデンサＣ１に印加する。昇圧チョッパ回路２０はスイッチ素子Ｓ２０とリアクトルＬ２０とダイオードＤ２０とを備えている。スイッチ素子Ｓ２０とリアクトルＬ２０とは直流線ＬＨ１，ＬＬ２の間で互いに直列に接続されており、スイッチ素子Ｓ２０はリアクトルＬ２０に対して直流線ＬＨ１側に位置している。ダイオードＤ２０は、スイッチ素子Ｓ２０とリアクトルＬ２０とを接続する第１接続点と、コンデンサＣ１とスイッチ素子Ｓ１とを接続する第２接続点との間に接続されている。ダイオードＤ２０の順方向は第２接続点から第１接続点へと向かう方向である。
【００５２】
整流器１２はダイオードＤ１，Ｄ２，Ｄ５，Ｄ６によって形成されている。ダイオードＤ１は入力線ＡＣＬ１と直流線ＬＬとの間に設けられており、直流線ＬＬ側にアノードを有している。ダイオードＤ２は入力線ＡＣＬ２と直流線ＬＬとの間に設けられており、直流線ＬＬ側にアノードを有している。
【００５３】
この場合であっても、ダイオードＤ５，Ｄ６が整流器１１，１２の一部として機能するので、製造コストを低減できる。なお、図３の例示であっても、入力リアクトルＬｉｎは入力線ＡＣＬＡＣＬ２に設けられてもよい。
【００５４】
このような整流器１１，１２の構成及びリアクトルＬ２０との接続関係により、昇圧チョッパ回路２０の入力側は、互いに逆方向に接続されたダイオードＤ１，Ｄ３の直列接続及び互いに逆方向に接続されたダイオードＤ２，Ｄ４の直列接続によって、直流線ＬＬと非導通になっている。つまり直流線ＬＬと直流線ＬＬ２は異なっており、かつ互いに直接には接続されていない。
【００５５】
また、本発明は、その発明の範囲内において、相互に矛盾しない限り、上記の種々の実施の形態を適宜、変形、省略することが可能である。
【符号の説明】
【００５６】
１１，１２  整流器
２０  昇圧チョッパ回路
３０  インバータ
Ｄ１〜Ｄ６  ダイオード
ＤＣＬ  直流リンク
Ｌｉｎ  入力リアクトル
ＬＨ１，ＬＨ２，ＬＬ  直流線
【図１】
0006488685.tif 000002
【図２】
0006488685.tif 000003
【図３】
0006488685.tif 000004
【図４】
0006488685.tif 000005